(57)【特許請求の範囲】
【請求項１】
モーターと、該モーターの回転を減速させるギヤボックスと、モーターとギヤボックスの間に設けられた回転ドラムと、該回転ドラムの中心上方部に、支持軸で枢軸して斜上方へ対称に延出されたアームと、該両アームの端部に軸支された滑車と、回転ドラムに取り付けられ、且つ、支持軸で支持されたフレームと、該フレームの下端部に設けられた運搬物の吊り棒とから搬器が構成され、しかも、該搬器が、回転ドラムの下方より前記両滑車の内側に掛けて、空中に傾斜させて架設した一本のケーブルで回転ドラムを抱くようにして吊設されてなることを特徴とする索道運搬装置。
【発明の詳細な説明】
【０００１】
【発明の属する技術分野】
本発明は、空中に傾斜させて架設した一本のケーブルに搬器を吊るして、物品を運搬するようにした索道運搬装置に関するものである。
【０００２】
【従来の技術】
山や丘陵等の法面（傾斜面）に沿って空中に架設したケーブルに搬器を吊して、人や物を運搬する索道運搬施設や索道運搬装置においては、従来より搬器を吊るすための二本の架線（ケーブル）と、搬器をウインチ等で引張って移動させるための主線の計三本のケーブルを架設して行うやり方が主流となっており、一般的に複雑で且つ大掛りな構成となっている。
【０００３】
【発明が解決しようとする課題】
しかしながら、随時場所を変えて、山地や丘陵地及び崖上等に物品を運搬したりして作業するのに供するには、上記従来の技術ではケーブルを張って架設したり、装置を据え付けたりするのに多くの労力と手間を要し、迅速に対応できないといった課題や、装置の価格や設置費用が高価になること、及び設置スペースを多く要するなどの課題を有している。
【０００４】
【課題を解決するための手段】
本発明は、上記従来の技術における課題に鑑みてなされた索道運搬装置であり、山地や丘陵地及び崖上等に応じて空中に一本のケーブルを傾斜させて架設し、該架設した一本のケーブルで搬器を吊るすと共に、往復移動させて物品を運搬するようにしたものである。
すなわち、その解決手段は以下に記載するとおりである。
【０００５】
（１）モーターと、該モーターの回転を減速させるギヤボックスと、モーターとギヤボックスの間に設けられた回転ドラムと、該回転ドラムの中心上方部に、支持軸で枢軸して斜上方へ対称に延出されたアームと、該両アームの端部に軸支された滑車と、回転ドラムに取り付けられ、且つ、支持軸で支持されたフレームと、該フレームの下端部に設けられた運搬物の吊り棒とから搬器が構成され、しかも、該搬器が、回転ドラムの下方より前記両滑車の内側に掛けて、空中に傾斜させて架設した一本のケーブルで回転ドラムを抱くようにして吊設されてなることを特徴とする索道運搬装置である。
【０００６】
【発明の実施の形態】
本発明の実施の形態を実施例を示す図面に基づいて説明すると、本発明は図１１及び図２に示すように、モーター１の回転を減速するギヤボックス２を介して回転ドラム３を回転駆動させるようにし、該回転ドラムの上方二箇所に滑車４、４を傾き回動するように設けて搬器Ａを構成し、該搬器を前記回転ドラム３の下方より前記二箇所に設けた滑車４、４の内側にケーブル５を掛けて、該ケーブル５の一本で回転ドラム３を抱くようにして吊設して、回転ドラム３の回転駆動により搬器Ａを往復移動させて搬器Ａのフレーム７の下端部に設けた吊り棒１１に運搬物を掛けて運搬するようにしたものである。
【０００７】
モーター１と、該モーターの回転を減速するギヤボックス２は、中間に回転ドラム３を挟むように三箇所の支持軸６の両端部で間隔を設けて支持されたフレーム７、７に、対称にして取付け固定してあり、前記回転ドラム３にケーブル５を掛けて吊るした時に、略平衡が保てるようにしてある。
モーター１の尾部には、該モーターを回転させるための電源コード１８が配線してある。
【０００８】
回転ドラム３の外周部のケーブルを掛ける部分には、ケーブル５を嵌めて位置ずれしないようにガイドするガイド溝３ａを設けてある。
又、前記ガイド溝３ａには、ケーブル５の傾斜が大きい場合など、ケーブル５を巻きこんで搬器Ａを移動させる時にスリップしないように滑り止め用の凹凸刻み３ｂの加工が施してある。
【０００９】
前記回転ドラム３の中心上方部には、フレーム７、７を上方で一定幅の間隔で支持した支持軸６により枢軸して斜上方へ対称にアーム９、９を延出させてあり、該延出させたアームの端部に滑車４、４が軸１０、１０により回転自在に軸支されている。
【００１０】
そして、図３に示すようにケーブル５の傾斜に応じて、滑車４、４を軸支したアーム９、９が、傾き回動するようにしてある。ケーブル５の傾斜角Ｂは最大６０度程度としてあり、６０度以下の傾斜角で架設して使用するようにするのが望ましい。
又、ケーブル５の太さは直径がφ１０〜φ１５ｍｍ程度で、多数の鋼線を撚り合わせて製作したケーブルを使用するのが良い。
【００１１】
フレーム７、７の下端面には、吊り棒１１の両端部を支持した支持ブラケット１２、１２を取付け固定してあり、前記吊り棒１１に引掛けフックを介して直接運搬物を掛けたり、或いは重い運搬物は巻上げウインチ等を介して運搬物を吊り上げた状態で運搬するようにしてある。
【００１２】
【実施例】
次に、本発明を空中に傾斜させて架設した１本のケーブルに吊設して、運搬物を索道運搬する実施例について説明する。
ケーブル５は、平地と山頂に立設した支柱１３、１３に、端部を止め金具等で止め、チェーンブロック１４で引張って空中に傾斜させて架設してある。或いは、前記支柱の代りに樹木等の立木に、ケーブル５の端部を止めても良い。
【００１３】
搬器Ａは、ケーブル５が回転ドラム３の下方より、回転ドラムを抱くようにして、滑車４、４の内側に掛けて外側へ引張って吊設してあり、図３に示すようにケーブル５の傾斜に応じて、滑車４、４を軸支したアーム９、９は上方の支持軸６を枢軸として回動し、傾いた状態となっている。
【００１４】
搬器Ａのフレーム７の下端面には、吊り棒１１が両端部を支持ブラケット１２により支持して取付け固定されており、前記吊り棒１１にフック等を介して運搬物１５を吊り下げてある。
前記運搬物１５は重量物の場合、巻上げウインチ等で持ち上げて吊り下げるようにしても良い。
【００１５】
モーター１の尾部からは電源コード８が、ケーブル５を移動自在に走行するようにした滑車付きフック１６に手繰り吊り下げられ、押釦操作スイッチ１７を介してプラグ１８を電源ソケット（図示せず）に差し込むようにしてある。
前記押釦操作スイッチ１７の代りにリモコン操作スイッチ（図示せず）を使用しても良い。
【００１６】
以上のようにして、プラグ１８を電源ソケット（図示せず）に差し込み、押釦操作スイッチ１７によりモーター１を回転させ、ギヤボックス２（図１）で減速して、図３に示す回転ドラム３を矢印イの方向に回転させると、回転ドラム３はケーブル５を巻き込むようにして、搬器Ａは上方（矢印ハ方向）へ移動し、逆に前記ドラム３を矢印ロの方向に回転させると、搬器Ａは下方（矢印ニ方向）へ移動して、搬器Ａに吊り下げられた運搬物１５は運搬され、搬器Ａの移動に応じて、電源コード８の手繰り吊り下げ部が追随する。
【００１７】
前記モーター１の回転を減速して回転駆動させる回転ドラム３の周速は、１０〜１５ｍ／分として搬器の移動速度を１分間に１０〜１５ｍ程度としているが、運搬物の品質や重量等を考慮して増減させても良い。
【００１８】
又、運搬物は物品で、重量は１００ｋｇ以下としており、搬器や巻上げウインチ等の重量を加算しても１５０ｋｇ以下としている。
鋼線を撚り合わした使用ケーブルの太さ（直径）をφ１０ｍｍとした場合の、引張破断強度は４２００ｋｇであり、安全率を３とした場合の許容引張強度は、１４００ｋｇとなり、上記運搬における安全は確保されている。
【００１９】
【発明の効果】
以上記述した如く、本発明はモーターとギヤボックスとの間に回転ドラムを設け、回転ドラムの中心部上方部に、斜上方へ対称に延出されたアームを支持軸で枢軸すると共に、該両アームの端部に滑車を軸支し、さらに、回転ドラムに取り付けられたフレームを支持軸で支持し、フレームの下端部に運搬物の吊り棒を設けてなる搬器を、空中を傾斜させて引張り架設した一本のケーブルで前記回転ドラムを抱くように二箇所に設けた滑車の内側に掛けて吊設し、回転ドラムの回転駆動により搬器を往復移動させて運搬するようにしたものであり、以下に記述するような効果を奏する。
すなわち、
（１）一本のケーブルを空中に傾斜させて架設するのみで済むから、架設設置に要する手間が省け、設置場所を随時変えて索道運搬を行うのに迅速に対応できる。
【００２０】
（２）装置がシンプルにして且つ軽量となり、設置スペースも少なくて済むことから、製造コスト及び据付けコストの低減を図ることができる。
【図面の簡単な説明】
【図１】本発明の実施例を示す要部斜視図である。
【図２】図１のＴ−Ｔ断面図である。
【図３】ケーブルを傾斜させてなる図１のＴ−Ｔ断面図である。
【図４】本発明により索道運搬する実施例を示す側面図である。
【符号の説明】
Ａ  搬器
１  モーター
２  ギヤボックス
３  回転ドラム
３ａ  ガイド溝
３ｂ  凹凸刻み
４  滑車
５  ケーブル
６  支持軸
７  フレーム
８  電源コード
９  アーム
１０  軸
１１  吊り棒
１２  支持ブラケット
１３  支柱
１４  チェーンブロック
１５  運搬物
１６  滑車付きフック
１７  押釦操作スイッチ
１８  プラグ
【図１】
0003584199.tif 000002
【図２】
0003584199.tif 000003
【図３】
0003584199.tif 000004
【図４】
0003584199.tif 000005